【事件の表示】
　特願２０１５−１４２９５４号「遊技機」拒絶査定不服審判事件〔平成２７年１１月２６日出願公開、特開２０１５−２１１８９８号〕について、次のとおり審決する。
【結　論】
　本件審判の請求は、成り立たない。
【理　由】
第１　手続の経緯 
　本願は、平成２５年７月２２日に出願した特願２０１３−１５１８５４号の一部を平成２７年７月１７日に新たな特許出願としたものであって、平成２８年７月５日付けの拒絶理由の通知に対し、同年９月９日に意見書が提出されるとともに手続補正がなされたが、平成２９年２月１４日付け（発送日：同年２月２１日）で拒絶査定がなされ、これに対して平成２９年４月２７日に審判の請求がなされると同時に手続補正がなされ、その後、当審による同年１１月７日付けの最後の拒絶理由に対し、同年１２月２６日に意見書が提出されるとともに手続補正（以下「本件補正」という。）がなされたものである。  
第２　本件補正についての補正の却下の決定 
［補正の却下の決定の結論］ 
　本件補正を却下する。 
［理由］ 
１　本件補正について（補正の内容） 
　本件補正は特許請求の範囲の請求項１の記載の補正を含むものであり、本件補正前の平成２９年４月２７日にされた手続補正の特許請求の範囲の請求項１の記載と本件補正後の特許請求の範囲の請求項１の記載は、それぞれ以下のとおりである（下線部は補正箇所を示す。また、Ａ〜Ｎについては発明を分説するため当審で付与した。）。 
（平成２９年４月２７日の手続補正） 
「【請求項１】 
　遊技者が操作可能な操作手段と、
　操作有効期間中に前記操作手段が操作された場合に所定演出を実行する所定演出制御手段と、
　前記操作有効期間における前記操作手段の操作を促す特定演出を実行する特定演出制御手段と、
　前記操作有効期間の経過に応じて、有効期間表示部の表示態様を開始表示状態から途中表示状態を経て終了表示状態へと変化させる有効期間表示手段とを備え、
　前記操作有効期間を、図柄表示手段による図柄変動中における所定期間に設定した
　遊技機において、
　前記特定演出は、一回押し態様の第１特定演出を含み、
　前記図柄変動を、少なくとも通常変動とリーチ変動とで構成し、
　前記リーチ変動中に行われる第１特定演出の操作有効期間を、前記通常変動中に行われる第１特定演出の操作有効期間よりも長く設定し、
　前記操作手段は、択一的に操作可能な第１操作手段と第２操作手段とを含み、
　前記第１操作手段の操作有効期間である第１操作有効期間と、前記第２操作手段の操作有効期間である第２操作有効期間とを異なる期間に設定し、
　前記第１操作有効期間と前記第２操作有効期間の前記開始表示状態の表示態様は同一であり、
　前記第１操作有効期間と前記第２操作有効期間とで、前記開始表示状態から前記途中表示状態を経て前記終了表示状態へと変化させる変化速度を異ならせた
　ことを特徴とする遊技機。」 
（本件補正）  
「【請求項１】 
Ａ　遊技者が操作可能な操作手段と、
Ｂ　操作有効期間中に前記操作手段が操作された場合に所定演出を実行する所定演出制御手段と、
Ｃ　前記操作有効期間における前記操作手段の操作を促す特定演出を実行する特定演出制御手段と、
Ｄ　前記操作有効期間の経過に応じて、有効期間表示部の表示態様を開始表示状態から途中表示状態を経て終了表示状態へと変化させる有効期間表示手段とを備え、
Ｅ　前記操作有効期間を、図柄表示手段による図柄変動中における所定期間に設定した
Ｆ　遊技機において、
Ｇ　前記特定演出は、一回押し態様の第１特定演出を含み、
Ｈ　前記図柄変動
には
リーチ状態を経由しない
リーチ状態を経由する
とがあり
Ｉ　前記リーチ変動中に行われる
前記
前記
が
前記
前記
なるように設定され
Ｊ　
前記リーチ変動の最終段階で実行され且つ前記所定演出によって前記図柄変動の結果を報知可能な前記特定演出が前記第１特定演出であった場合の前記操作有効期間が、前記リーチ変動中における該リーチ変動の最終段階以外で実行される前記特定演出が前記第１特定演出であった場合の前記操作有効期間よりも長くなるように設定されており、
Ｋ　前記操作手段は、択一的に操作可能な第１操作手段と第２操作手段とを含み、
Ｌ　前記第１操作手段の操作有効期間である第１操作有効期間と、前記第２操作手段の操作有効期間である第２操作有効期間とを異なる期間に設定し、
Ｍ　前記第１操作有効期間と前記第２操作有効期間の前記開始表示状態の表示態様は同一であり、
Ｎ　前記第１操作有効期間と前記第２操作有効期間とで、前記開始表示状態から前記途中表示状態を経て前記終了表示状態へと変化させる変化速度を異ならせた
　　ことを特徴とする遊技機。」 
２　補正の適否　　 
　本件補正後の請求項１は、補正前の請求項１に記載された発明特定事項である「前記リーチ変動中に行われる第１特定演出の操作有効期間」に関して、「前記リーチ変動の最終段階で実行され且つ前記所定演出によって前記図柄変動の結果を報知可能な前記特定演出が前記第１特定演出であった場合の前記操作有効期間が、前記リーチ変動中における該リーチ変動の最終段階以外で実行される前記特定演出が前記第１特定演出であった場合の前記操作有効期間よりも長くなるように設定されて」いるという限定を付加するものであって、補正前の請求項１に記載された発明と補正後の請求項１に記載された発明の産業上の利用分野及び解決しようとする課題が同一であるから、本件補正は、特許法第１７条の２第５項第２号に規定する「特許請求の範囲の減縮」を目的とするものに該当する。 
　なお、補正前の請求項１に記載された「前記図柄変動を、少なくとも通常変動とリーチ変動とで構成し、前記リーチ変動中に行われる第１特定演出の操作有効期間を、前記通常変動中に行われる第１特定演出の操作有効期間よりも長く設定し」という記載を、「前記図柄変動には、リーチ状態を経由しない通常変動とリーチ状態を経由するリーチ変動とがあり、前記リーチ変動中に行われる前記第１特定演出の前記操作有効期間が、前記通常変動中に行われる前記第１特定演出の前記操作有効期間よりも長くなるように設定され」という記載に変更する補正は、平成２９年１１月７日付けの最後の拒絶理由通知に係る拒絶の理由に示す事項についてする、明瞭でない記載の釈明を目的とするものに該当し、発明特定事項の技術的範囲を実質的に変更しないものである。
　そして、本件補正は、明細書の段落【０１３７】〜【０１３９】、図２６の記載に基づいており、新規事項を追加するものではない。 
　そこで、本件補正後の請求項１に記載された発明（以下「本願補正発明」という。）が特許法第１７条の２第６項において準用する同法第１２６条第７項の規定に適合するか（特許出願の際独立して特許を受けることができるものであるか）について、以下、検討する。 
（１）本願補正発明 
　本願補正発明は、前記１に記載したとおりのものである。
（２）引用文献に記載された事項 
ア　当審による拒絶の理由で引用された本願の出願遡及日前に頒布された刊行物である特開２０１１−２１２３６３号公報（以下「引用文献１」という。）には、図面と共に次の事項が記載されている（下線は当審で付した。）。 
「【００１２】
　
第１操作ボタン１２
遊技者
平坦な略楕円形の
操作ボタン部１５が内部の弾性部材による付勢力に抗して押圧操作されたとき、その操作ボタン部１５の移動によって内部の検出スイッチ
がＯＮに切り替わるように構成されている
【００１３】
　
第２操作ボタン１３
遊技者
ドーム型の
操作ボタン部１６が内部の戻しバネ３３による付勢力に抗して押圧操作されたとき、その操作ボタン部１６の移動によって内部の検出スイッチ
がＯＮに切り替わるように構成されている
「【００２７】
　
演出画像表示手段５６
第１操作演出中の所定の第１操作有効期間中に
第１操作ボタン１２が押圧操作されるアニメーション画像等よりなる第１操作誘導画像を表示する第１操作誘導報知を行い、また第２操作演出中の所定の第２操作有効期間中に
第２操作ボタン１３が押圧操作されるアニメーション画像等よりなる第２操作誘導画像を表示する第２操作誘導報知を行う
「【００３９】
　変動パターン選択手段７８は、
演出図柄の変動パターン
リーチ大当たり変動パターン
リーチ外れ変動パターン
リーチなし外れ変動パターン
「【００５６】
　
操作演出制御手段１０３
演出図柄の図柄変動中の各期間を単位演出期間として、その図柄変動（単位演出期間）毎に所定の確率で実行され、その操作演出中の所定の操作有効期間
【００５７】
　本実施形態では、第１操作演出と第２操作演出の２種類の操作演出を実行可能であるとする。第１操作演出は、遊技者による第１操作ボタン１２の操作を伴う操作演出で、この
第１操作演出中の所定の操作有効期間中に遊技者が第１操作ボタン１２を操作した場合に
演出図柄の背景色を青色に変更する「青背景処理」と赤色に変更する「赤背景処理」との何れかが、特別図柄の変動結果に応じた所定の確率で実行される
第２操作演出中の所定の操作有効期間中に遊技者が第２操作ボタン１３を操作した場合に
回転灯２０を作動させる「回転灯作動処理」が、特別図柄の変動結果に応じた所定の確率で実行される
「【００５９】
　この操作演出決定処理（図８）では、まず操作演出抽選手段１０４ａにより、
第１操作演出
【００６０】
　ここで、それら
「演出なし」、「演出あり：青背景処理」、「演出あり：赤背景処理」に対する振分率は
特別図柄の変動結果
に応じて予め
外れ態様となる場合には５０：３０：２０、大当たり態様となって特別利益状態Ａ及び時短状態が発生する場合には８０：５：１５、大当たり態様となって特別利益状態Ｂ及び高確率状態が発生する場合には２０：１０：７０に夫々設定されている
「【００６５】
　これらＳ３〜Ｓ７の処理が終了するか、又はＳ１の抽選で「演出なし」が選択された場合には（Ｓ２：Ｎｏ）、操作演出抽選手段１０４ａにより、
第２操作演出
【００６６】
　ここで、それら
「演出なし」、「演出あり：特別処理なし」、「演出あり：特別処理あり」に対する振分率は
特別図柄の変動結果に応じて予め
外れ態様となる場合には９０：１０：０、大当たり態様となって特別利益状態Ａ及び時短状態が発生する場合には８０：２０：０、大当たり態様となって特別利益状態Ｂ及び高確率状態が発生する場合には０：０：１００に夫々設定されている
「【００７６】
　Ｓ３２においては、第１操作有効期間の継続時間が例えば１０秒である場合にはその１０秒に対応する計数値が初期値として第１有効タイマＴ２ａにセットされる。
第１操作有効期間の継続時間は
予め変動パターン毎に設定される
「【００７８】
　なお本実施形態では、仮に
第１操作演出と第２操作演出との両方に当選したとしても
第１操作有効期間と
第２操作有効期間とは互いに重ならないように設定されている
「【００８３】
　Ｓ３２においては、第２操作有効期間の継続時間が例えば１０秒である場合にはその１０秒に対応する計数値が初期値として第２有効タイマＴ２ｂにセットされる。
第２操作有効期間の継続時間は、例えば予め変動パターン毎に設定される
第２操作有効期間の継続時間は第１操作有効期間の継続時間と異なっていてもよい
「【０１１７】
　また本発明は、アレンジボール機、雀球遊技機等の各種弾球
遊技機
　上記記載事項を総合すれば、引用文献１には以下の発明（以下、「引用発明」という。）が記載されているものと認められる（ａ〜ｌについては本願補正発明のＡ〜Ｌに対応させて付与した。）。
 
「ａ　遊技者により平坦な略楕円形の操作ボタン部１５が内部の弾性部材による付勢力に抗して押圧操作されたとき、その操作ボタン部１５の移動によって内部の検出スイッチがＯＮに切り替わるように構成されている第１操作ボタン１２（【００１２】）、及び、遊技者によりドーム型の操作ボタン部１６が内部の戻しバネ３３による付勢力に抗して押圧操作されたとき、その操作ボタン部１６の移動によって内部の検出スイッチがＯＮに切り替わるように構成されている第２操作ボタン１３（【００１３】）と、
ｂ　第１操作演出中の所定の操作有効期間中に遊技者が第１操作ボタン１２を操作した場合に演出図柄の背景色を青色に変更する「青背景処理」と赤色に変更する「赤背景処理」のうちの何れかを特別図柄の変動結果に応じた所定の確率で実行し、第２操作演出中の所定の操作有効期間中に遊技者が第２操作ボタン１３を操作した場合に回転灯２０を作動させる「回転灯作動処理」を特別図柄の変動結果に応じた所定の確率で実行する操作演出制御手段１０３と（【００５６】、【００５７】）、
ｃ　第１操作演出中の所定の第１操作有効期間中に第１操作誘導画像を表示する第１操作誘導報知を行い、また第２操作演出中の所定の第２操作有効期間中に第２操作誘導画像を表示する第２操作誘導報知を行う演出画像表示手段５６と（【００２７】）、
ｅ　前記操作有効期間を、演出図柄の図柄変動中の各期間を単位演出期間として、その図柄変動（単位演出期間）毎に所定の確率で実行される操作演出中の所定の期間とした（【００５６】）
ｆ　遊技機において（【０１１７】）、
ｇ　前記第１操作誘導報知は、第１操作ボタン１２が押圧操作されるアニメーション画像等よりなる第１操作誘導画像を表示し、前記第２操作誘導報知は、第２操作ボタン１３が押圧操作されるアニメーション画像等よりなる第２操作誘導画像を表示し（【００２７】）、
ｈ　演出図柄の変動パターンにはリーチなし外れ変動パターンとリーチ外れ変動パターンとリーチ大当たり変動パターンとがあり（【００３９】）、
ｉ　第１操作演出の「演出なし」、「演出あり：青背景処理」、「演出あり：赤背景処理」に対する振分率は、特別図柄の変動結果に応じて予め、外れ態様となる場合には５０：３０：２０、大当たり態様となって特別利益状態Ａ及び時短状態が発生する場合には８０：５：１５、大当たり態様となって特別利益状態Ｂ及び高確率状態が発生する場合には２０：１０：７０に夫々設定され（【００５９】、【００６０】）、第２操作演出の「演出なし」、「演出あり：特別処理なし」、「演出あり：特別処理あり」に対する振分率は、特別図柄の変動結果に応じて予め、外れ態様となる場合には９０：１０：０、大当たり態様となって特別利益状態Ａ及び時短状態が発生する場合には８０：２０：０、大当たり態様となって特別利益状態Ｂ及び高確率状態が発生する場合には０：０：１００に夫々設定されており（【００６５】、【００６６】）、
ｋ　前記第１操作ボタン１２と前記第２操作ボタン１３とは、第１操作演出と第２操作演出との両方に当選したとしても、第１操作有効期間と第２操作有効期間とは互いに重ならないように設定されており（【００５７】、【００７８】）、
ｌ　前記第１操作有効期間の継続時間と前記第２操作有効期間の継続時間は、予め変動パターン毎に設定され、前記第２操作有効期間の継続時間は前記第１操作有効期間の継続時間と異ならせた（【００７６】、【００８３】）
　遊技機。」
イ　当審による拒絶の理由で引用された本願の出願遡及日前に頒布された刊行物である特開２０１３−１３５２７号公報（以下「引用文献２」という。）には、図面と共に次の事項が記載されている（下線は当審で付した。）。 
「【００４５】
　本実施形態の
遊技機１０
「【０２０５】
　この特定保留表示ｍ４が表示されると、同時に操作有効期間メーターＴが表示領域４１ａ（例えば保留表示ｍ１〜ｍ４の下方）に表示される。この
操作有効期間メーターＴは、表示開始直後から表示値（黒く塗りつぶされた部分）を最大値の状態から最小値（０）になるまで一定の速度で減少させていくことにより、演出ボタン２５の操作を演出に反映させることが可能（操作が有効）な期間（以下、操作有効期間と称する）が開始されてからの経過時間（当該期間が終了するまでの残存時間）を可視化して表示するものである
ウ　当審による拒絶の理由で引用された本願の出願遡及日前に頒布された刊行物である特開２００７−３００９９９号公報（以下「引用文献３」という。）には、図面と共に次の事項が記載されている（下線は当審で付した。）。
「【００３５】
　
図５に示すように
【００３６】
　操作ボタンイベントパターン番号０は、操作ボタンイベントが開始されるタイミングは無く、操作ボタンイベントは行わない。
操作ボタンイベントパターン番号１は、演出パターン番号１による演出が開始されてから
リーチ発展時又はその直前若しくはリーチ前半に相当する作動タイミングＴ１＝５秒後にボタン操作が有効となり、この有効状態が作動継続期間Ｔ２＝３秒間継続される。操作ボタンイベントパターン番号２は、演出パターン番号１による演出が開始されてから、
リーチ発展後に相当するＴ１＝１０秒後にボタン操作が有効となり、この有効状態がＴ２＝５秒間継続される
【００３７】
　操作ボタンイベントパターン番号３，５，７，１０，１３は、演出パターン番号２，３，４，５，６の総演出時間に対応させた遅めのリーチ時期に合わせ、各リーチ発展時又はその直前若しくはリーチ前半等に相当するＴ１＝８秒、１０秒、１２秒、２０秒、２５秒後に各々ボタン操作が有効となる。操作ボタンイベントパターン番号４，６，８，１１，１４は、演出パターン番号２，３，４，５，６による各リーチ後半で且つ総演出時間の終盤に合わせ、各演出開始からＴ１＝１８秒、２３秒、２５秒、３０秒、４０秒後に各々ボタン操作が有効となる。それぞれ、
ボタン操作が有効となる時期が遅いほど、有効状態が継続する期間をＴ２＝３秒間、５秒間
と、長めにしている
「【００４１】
　図７に示すように、図６のステップＳ２９に続き、左・中・右ボタン３Ｌ，３Ｃ，３Ｒによる操作検知を開始し（Ｓ３０）、
何れかのボタン操作が作動継続期間Ｔ２内に有ると
ピストルフィギア７ｐを回動させて銃口をミニドラム７ｒに向けると共に
スピーカ５１，５２から銃弾発射音を出音させ、これを契機にミニドラム７ｒを回転させ
【００４２】
　
ミニドラム７ｒの回転は、例えば１秒後等の所定時間経過後に停止し
大当たりを確定報知させる「Ｖｉｃｔｏｒｙ」
外れを確定報知させる「Ｌｏｓｔ」の何れかを正面に止める
（３）対比 
　本願補正発明と引用発明とを対比する。なお、見出し（ａ）〜（ｌ）は、本願補正発明のＡ〜Ｌ及び引用発明のａ〜ｌに対応させている。
 
（ａ）引用発明の「ａ　遊技者により平坦な略楕円形の操作ボタン部１５が内部の弾性部材による付勢力に抗して押圧操作されたとき、その操作ボタン部１５の移動によって内部の検出スイッチがＯＮに切り替わるように構成されている第１操作ボタン１２、及び、遊技者によりドーム型の操作ボタン部１６が内部の戻しバネ３３による付勢力に抗して押圧操作されたとき、その操作ボタン部１６の移動によって内部の検出スイッチがＯＮに切り替わるように構成されている第２操作ボタン１３」は、本願補正発明の「Ａ　遊技者が操作可能な操作手段」に相当する。
（ｂ）引用発明の「ｂ　第１操作演出中の所定の操作有効期間中に遊技者が第１操作ボタン１２を操作した場合に演出図柄の背景色を青色に変更する「青背景処理」と赤色に変更する「赤背景処理」のうちの何れかを」「実行し、第２操作演出中の所定の操作有効期間中に遊技者が第２操作ボタン１３を操作した場合に回転灯２０を作動させる「回転灯作動処理」を」「実行する操作演出制御手段１０３」は、本願補正発明の「Ｂ　操作有効期間中に前記操作手段が操作された場合に所定演出を実行する所定演出制御手段」に相当する。
（ｃ）引用発明の「ｃ　第１操作演出中の所定の第１操作有効期間中に第１操作ボタン１２が押圧操作されるアニメーション画像等よりなる第１操作誘導画像を表示する第１操作誘導報知を行い、また第２操作演出中の所定の第２操作有効期間中に第２操作ボタン１３が押圧操作されるアニメーション画像等よりなる第２操作誘導画像を表示する第２操作誘導報知を行う演出画像表示手段５６」は、本願補正発明の「Ｃ　前記操作有効期間における前記操作手段の操作を促す特定演出を実行する特定演出制御手段」に相当する。
（ｅ）引用発明の「ｅ　前記操作有効期間を、演出図柄の図柄変動中の各期間を単位演出期間として」「実行される操作演出中の所定の期間とした」ことは、本願補正発明の「Ｅ　前記操作有効期間を、図柄表示手段による図柄変動中における所定期間に設定した」ことに相当する。
（ｆ）引用発明の「ｆ　遊技機」は、本願補正発明の「Ｆ　遊技機」に相当する。
（ｇ）引用発明の「第１操作ボタン１２」及び「第２操作ボタン１３」は、ａの「操作ボタン部１５」及び「操作ボタン部１６」が「付勢力に抗して押圧操作されたとき」、その「操作ボタン部１５」及び「操作ボタン部１６」の「移動によって内部の検出スイッチがＯＮに切り替わるように構成されている」ことから、いずれも、一回押し態様の操作ボタンであるといえ、これに対応した引用発明のｇの「第１操作ボタン１２が押圧操作されるアニメーション画像等よりなる第１操作誘導画像」及び「第２操作ボタン１３が押圧操作されるアニメーション画像等よりなる第２操作誘導画像」が一回押し態様のものであることは明らかである。
　したがって、引用発明の「ｇ　前記第１操作誘導報知は、第１操作ボタン１２が押圧操作されるアニメーション画像等よりなる第１操作誘導画像を表示し、前記第２操作誘導報知は、第２操作ボタン１３が押圧操作されるアニメーション画像等よりなる第２操作誘導画像を表示」することは、本願補正発明の「Ｇ　前記特定演出は、一回押し態様の第１特定演出を含」むことに相当する。
（ｈ）引用発明の「ｈ　演出図柄の変動パターンにはリーチなし外れ変動パターンとリーチ外れ変動パターンとリーチ大当たり変動パターンとがあ」ることは、本願補正発明の「Ｈ　前記図柄変動には、リーチ状態を経由しない通常変動とリーチ状態を経由するリーチ変動とがあ」ることに相当する。
（ｉ）引用発明において、「ｉ　第１操作演出の『演出なし』、『演出あり：青背景処理』、『演出あり：赤背景処理』に対する振分率は」、「外れ態様となる場合には５０：３０：２０」に「設定され」、「第２操作演出の『演出なし』、『演出あり：特別処理なし』、『演出あり：特別処理あり』に対する振分率は」、「外れ態様となる場合には９０：１０：０」に「設定され」ているのであり、これらの「外れ態様となる場合」とは、ｈの「リーチなし外れ変動パターンとリーチ外れ変動パターン」を区別していない、すなわち、「リーチなし外れ変動パターン」と「リーチ外れ変動パターン」のいずれにおいても、上記振分率によって演出が行われ、ｋの「第１操作有効期間と第２操作有効期間と」が「設定され」ることは明らかである。
　したがって、引用発明のこれらの構成と、本願補正発明の「Ｉ　前記リーチ変動中に行われる前記第１特定演出の前記操作有効期間が、前記通常変動中に行われる前記第１特定演出の前記操作有効期間よりも長くなるように設定され」ることとは、「Ｉ’前記リーチ変動中に行われる前記第１特定演出の前記操作有効期間と、前記通常変動中に行われる前記第１特定演出の前記操作有効期間」とが「設定され」る点で共通する。
（ｋ）引用発明の「ｋ　前記第１操作ボタン１２と前記第２操作ボタン１３とは、第１操作演出と第２操作演出との両方に当選したとしても、第１操作有効期間と第２操作有効期間とは互いに重ならないように設定されて」いることは、本願補正発明の「Ｋ　前記操作手段は、択一的に操作可能な第１操作手段と第２操作手段とを含み」ことに相当する。
（ｌ）引用発明の「ｌ　第２操作有効期間の継続時間は第１操作有効期間の継続時間と異ならせた」ことは、本願補正発明の「Ｌ　前記第１操作手段の操作有効期間である第１操作有効期間と、前記第２操作手段の操作有効期間である第２操作有効期間とを異なる期間に設定し」たことに相当する。
　そうすると、両者は、 
「Ａ　遊技者が操作可能な操作手段と、
Ｂ　操作有効期間中に前記操作手段が操作された場合に所定演出を実行する所定演出制御手段と、
Ｃ　前記操作有効期間における前記操作手段の操作を促す特定演出を実行する特定演出制御手段と、
を備え、
Ｅ　前記操作有効期間を、図柄表示手段による図柄変動中における所定期間に設定した
Ｆ　遊技機において、
Ｇ　前記特定演出は、一回押し態様の第１特定演出を含み、
Ｈ　前記図柄変動には、リーチ状態を経由しない通常変動とリーチ状態を経由するリーチ変動とがあり、
Ｉ’前記リーチ変動中に行われる前記第１特定演出の前記操作有効期間と、前記通常変動中に行われる前記第１特定演出の前記操作有効期間とが設定され、
Ｋ　前記操作手段は、択一的に操作可能な第１操作手段と第２操作手段とを含み、
Ｌ　前記第１操作手段の操作有効期間である第１操作有効期間と、前記第２操作手段の操作有効期間である第２操作有効期間とを異なる期間に設定した
　　遊技機。」 
である点で一致し、以下の相違点で相違する。
（相違点１）
　本願補正発明は「Ｄ　前記操作有効期間の経過に応じて、有効期間表示部の表示態様を開始表示状態から途中表示状態を経て終了表示状態へと変化させる有効期間表示手段」を備えるのに対し、引用発明はそのように特定されていない点。
（相違点２）
「Ｉ’前記リーチ変動中に行われる前記第１特定演出の前記操作有効期間と、前記通常変動中に行われる前記第１特定演出の前記操作有効期間とが設定され」る点について、本願補正発明は「Ｉ　前記リーチ変動中に行われる前記第１特定演出の前記操作有効期間が、前記通常変動中に行われる前記第１特定演出の前記操作有効期間よりも長くなるように設定され」ているのに対し、引用発明はそのように特定されていない点。
（相違点３）
　本願補正発明は「Ｊ　前記リーチ変動の最終段階で実行され且つ前記所定演出によって前記図柄変動の結果を報知可能な前記特定演出が前記第１特定演出であった場合の前記操作有効期間が、前記リーチ変動中における該リーチ変動の最終段階以外で実行される前記特定演出が前記第１特定演出であった場合の前記操作有効期間よりも長くなるように設定されて」いるのに対し、引用発明はそのように特定されていない点。
（相違点４）
　本願補正発明は「Ｍ　前記第１操作有効期間と前記第２操作有効期間の前記開始表示状態の表示態様は同一であ」るのに対し、引用発明はそのように特定されていない点。
（相違点５）
　本願補正発明は「Ｎ　前記第１操作有効期間と前記第２操作有効期間とで、前記開始表示状態から前記途中表示状態を経て前記終了表示状態へと変化させる変化速度を異ならせた」のに対し、引用発明はそのように特定されていない点。
（４）判断
　以下、相違点について検討する。
（相違点１について）
　引用文献２には、
「【００４５】…遊技機１０」に関して、
「【０２０５】…操作有効期間メーターＴは、表示開始直後から表示値（黒く塗りつぶされた部分）を最大値の状態から最小値（０）になるまで一定の速度で減少させていくことにより、演出ボタン２５の操作を演出に反映させることが可能（操作が有効）な期間（以下、操作有効期間と称する）が開始されてからの経過時間（当該期間が終了するまでの残存時間）を可視化して表示するものである。」
と記載されており、相違点１に係る本願補正発明の「Ｄ　前記操作有効期間の経過に応じて、有効期間表示部の表示態様を開始表示状態から途中表示状態を経て終了表示状態へと変化させる有効期間表示手段」を開示するものといえる。
　そして、引用発明において、操作有効期間中の時間経過を把握し易くするために「誘導報知」の画像に引用文献２に記載された上記技術事項を適用して相違点１に係る本願補正発明の構成に想到することは、当業者が容易になし得るものである。
（相違点２について）
　引用発明は、「ｌ　第１操作有効期間の継続時間と第２操作有効期間の継続時間は、予め変動パターン毎に設定され」るのであるから、通常、リーチあり変動パターン（リーチ外れ変動パターンとリーチ大当たり変動パターン）の変動期間がリーチなし変動パターンの変動期間よりも長く設定されることは技術常識であることに鑑みれば、変動パターン毎の変動期間の長さに対応させて、リーチあり変動パターン（リーチ外れ変動パターンとリーチ大当たり変動パターン）のときに設定される操作有効期間の継続時間を、リーチなし外れ変動パターンのときに設定される操作有効期間の継続時間よりも長く設定して相違点２に係る本願補正発明の構成に想到することは、当業者が容易になし得るものである。
（相違点３について）
　引用文献３には、
「【００３５】図５に示すように…」
「【００３６】…操作ボタンイベントパターン番号１は、演出パターン番号１による演出が開始されてから…リーチ発展時又はその直前若しくはリーチ前半に相当する作動タイミングＴ１＝５秒後にボタン操作が有効となり、この有効状態が作動継続期間Ｔ２＝３秒間継続される。操作ボタンイベントパターン番号２は、演出パターン番号１による演出が開始されてから…リーチ発展後に相当するＴ１＝１０秒後にボタン操作が有効となり、この有効状態がＴ２＝５秒間継続される。」
「【００３７】…ボタン操作が有効となる時期が遅いほど、有効状態が継続する期間をＴ２＝３秒間、５秒間…と、長めにしている。」
「【００４１】…何れかのボタン操作が作動継続期間Ｔ２内に有ると…ピストルフィギア７ｐを回動させて銃口をミニドラム７ｒに向けると共に…スピーカ５１，５２から銃弾発射音を出音させ、これを契機にミニドラム７ｒを回転させ」
「【００４２】
　ミニドラム７ｒの回転は、例えば１秒後等の所定時間経過後に停止し…大当たりを確定報知させる「Ｖｉｃｔｏｒｙ」…外れを確定報知させる「Ｌｏｓｔ」の何れかを正面に止める」
と記載されており、相違点３に係る本願補正発明の構成である「Ｊ　前記リーチ変動の最終段階で実行され且つ前記所定演出によって前記図柄変動の結果を報知可能な前記特定演出が前記第１特定演出であった場合の前記操作有効期間が、前記リーチ変動中における該リーチ変動の最終段階以外で実行される前記特定演出が前記第１特定演出であった場合の前記操作有効期間よりも長くなるように設定されて」いることを開示するものといえる。
　そして、引用発明において、第１操作有効期間及び第２操作有効期間の設定期間の多様性を向上させて遊技の興趣を高めるために引用文献３に記載された上記技術事項を適用して相違点３に係る本願補正発明の構成に想到することは、当業者が容易になし得るものである。
（相違点４について）
（相違点１について）で検討したように、操作有効期間の経過に応じて、有効期間表示部の表示態様を開始表示状態から途中表示状態を経て終了表示状態へと変化させる有効期間表示を行うという引用文献２に記載の技術事項を引用発明に適用する際に、第１操作誘導画像と第２操作誘導画像のいずれに付加する場合も、単純に同様の有効期間表示とすること、すなわち、開始表示状態の表示態様を同一として相違点４に係る本願発明の構成に想到することは、当業者が容易になし得るものである。
（相違点５について）
（相違点１について）及び（相違点４について）で検討したように、引用文献２に記載の技術事項を引用発明に適用する際に、第１操作誘導画像と第２操作誘導画像のいずれに付加する場合も同様の有効期間表示とする場合、引用発明が「第２操作有効期間の継続時間は第１操作有効期間の継続時間と異な」るのであれば、第１操作有効期間と第２操作有効期間とで、開始表示状態から途中表示状態を経て終了表示状態へと変化する変化速度が異なるものとなることは明らかである。
　このことは、引用文献２には、操作有効メーターＴについて「【０２０６】…始動記憶の数が多ければ表示値の減少スピードが下がって操作有効期間は長くなり、始動記憶の数が少なければ減少スピードが上がって操作有効期間は短くなる。」と記載され、操作有効期間の長さに応じて変化速度が異なるものとすることができることからも許容されるといえる。
　よって、引用発明に引用文献２に記載の技術事項を適用して相違点５に係る本願補正発明の構成に想到することは、当業者が容易になし得るものである。
（効果について）
　そして、これらの相違点を総合的に勘案しても、本願補正発明の奏する作用効果は、引用発明並びに引用文献２及び３に記載された技術事項の奏する作用効果から予測される範囲内のものにすぎず、格別顕著なものということはできない。
（まとめ）
　したがって、本願補正発明は、引用発明並びに引用文献２及び３に記載の技術事項に基づいて、当業者が容易に発明をすることができたものであり、特許法第２９条第２項の規定により、特許出願の際独立して特許を受けることができないものである。
（請求人の主張について）
　請求人は、平成２９年１２月２６日の意見書において、本願発明は、引用文献１〜３に開示も示唆もされていない「Ｉ　前記リーチ変動中に行われる前記第１特定演出の前記操作有効期間が、前記通常変動中に行われる前記第１特定演出の前記操作有効期間よりも長くなるように設定され」、「Ｊ　前記リーチ変動の最終段階で実行され且つ前記所定演出によって前記図柄変動の結果を報知可能な前記特定演出が前記第１特定演出であった場合の前記操作有効期間が、前記リーチ変動中における該リーチ変動の最終段階以外で実行される前記特定演出が前記第１特定演出であった場合の前記操作有効期間よりも長くなるように設定されて」いる構成を具備することにより、リーチ成立後の第１特定演出については、それが遊技者の最も興味のある図柄変動結果を報知するものである場合には、それ以外の場合に比べて操作有効期間を長くすることにより、遊技者の期待感の高まりに応じて、期待感が高いほど遊技者操作を長時間促すことで演出効果をより高めることができるという格別の効果を奏するものであるから、当業者といえども、引用文献１〜３に記載の発明に基づいて本願発明に容易に想到し得たものとは解し得ない旨、主張する。
　しかしながら、「Ｉ　前記リーチ変動中に行われる前記第１特定演出の前記操作有効期間が、前記通常変動中に行われる前記第１特定演出の前記操作有効期間よりも長くなるように設定」することは、上記（相違点２について）で記載したように、引用発明は、「ｌ　第１操作有効期間の継続時間と第２操作有効期間の継続時間は、予め変動パターン毎に設定され」るのであるから、通常、リーチあり変動パターン（リーチ外れ変動パターンとリーチ大当たり変動パターン）の変動期間がリーチなし変動パターンの変動期間よりも長く設定されることは技術常識であることに鑑みれば、変動パターン毎の変動期間の長さに対応させて、リーチあり変動パターン（リーチ外れ変動パターンとリーチ大当たり変動パターン）のときに設定される操作有効期間の継続時間を、リーチなし外れ変動パターンのときに設定される操作有効期間の継続時間よりも長く設定することは、当業者が容易になし得るものである。
　また、「Ｊ　前記リーチ変動の最終段階で実行され且つ前記所定演出によって前記図柄変動の結果を報知可能な前記特定演出が前記第１特定演出であった場合の前記操作有効期間が、前記リーチ変動中における該リーチ変動の最終段階以外で実行される前記特定演出が前記第１特定演出であった場合の前記操作有効期間よりも長くなるように設定」することは、上記（相違点３について）で記載したように、引用文献３に開示された事項であり、引用発明において、第１操作有効期間及び第２操作有効期間の設定期間の多様性を向上させて遊技の興趣を高めるために引用文献３に記載された上記技術事項を適用して相違点３に係る本願補正発明の構成に想到することは、当業者が容易になし得るものである。
　さらに、リーチ成立後の第１特定演出については、それが遊技者の最も興味のある図柄変動結果を報知するものである場合には、それ以外の場合に比べて操作有効期間を長くすることにより、遊技者の期待感の高まりに応じて、期待感が高いほど遊技者操作を長時間促すことで演出効果をより高めることができるという請求人が主張する効果は、引用発明及び引用文献３に記載の技術事項の奏する作用効果から予測される範囲内のものにすぎず、格別顕著なものということはできない。
　したがって、請求人の主張に理由はなく、これを採用することができない。
３　本件補正についてのむすび 
　以上より、本件補正は、特許法第１７条の２第６項において準用する同法第１２６条第７項の規定に違反するので、同法第１５９条第１項において読み替えて準用する同法第５３条第１項の規定により却下すべきものである。
　よって、上記補正の却下の決定の結論のとおり決定する。
第３　本願発明について
１　本願発明 
　本件補正は、上記のとおり却下されたので、本願の請求項に係る発明は、平成２９年４月２７日にされた手続補正により補正された特許請求の範囲の請求項１に記載された事項により特定されるものであるところ、その請求項１に係る発明（以下「本願発明」という。）は、前記第２［理由］１に記載のとおりのものである。
２　当審の拒絶理由
　当審の拒絶の理由は、
１．（省略） 
２．（進歩性）この出願の請求項１に係る発明は、その出願遡及日前に頒布された下記の引用文献に記載された発明に基づいて、その出願遡及日前にその発明の属する技術の分野における通常の知識を有する者が容易に発明をすることができたものであるから，特許法第２９条第２項の規定により特許を受けることができない、
というものである。
引用文献１：特開２０１１−２１２３６３号公報
引用文献２：特開２０１３−１３５２７号公報
引用文献３：特開２００７−３００９９９号公報
３　引用文献 
　原査定の拒絶の理由で引用された引用文献１ないし３の記載事項は、前記第２［理由］２（２）に記載したとおりである。
４　対比・判断 
　本願発明は、前記第２の［理由］２で検討した本願補正発明の発明特定事項である「前記リーチ変動中に行われる第１特定演出の操作有効期間」に関して、「前記リーチ変動の最終段階で実行され且つ前記所定演出によって前記図柄変動の結果を報知可能な前記特定演出が前記第１特定演出であった場合の前記操作有効期間が、前記リーチ変動中における該リーチ変動の最終段階以外で実行される前記特定演出が前記第１特定演出であった場合の前記操作有効期間よりも長くなるように設定されて」いるという限定事項を削除し、さらに、同発明特定事項である「前記図柄変動には、リーチ状態を経由しない通常変動とリーチ状態を経由するリーチ変動とがあり、前記リーチ変動中に行われる前記第１特定演出の前記操作有効期間が、前記通常変動中に行われる前記第１特定演出の前記操作有効期間よりも長くなるように設定され」る構成について、技術的範囲を実質的に変更しないが明瞭でない記載を含む「前記図柄変動を、少なくとも通常変動とリーチ変動とで構成し、前記リーチ変動中に行われる第１特定演出の操作有効期間を、前記通常変動中に行われる第１特定演出の操作有効期間よりも長く設定」する構成に変更したものである。
　そうすると、本願発明の発明特定事項を全て含み、さらに他の事項を付加したものに相当する本願補正発明が、前記第２［理由］２（３）、（４）に記載したとおり、引用発明並びに引用文献２及び３に記載の技術事項に基づいて当業者が容易に発明をすることができたものであるから、本願発明も、引用発明並びに引用文献２及び３に記載の技術事項に基づいて当業者が容易に発明をすることができたものである。
第４　むすび
　以上のとおり、本願発明は、特許法第２９条第２項の規定により特許を受けることができないから、本願は拒絶されるべきものである。
　よって、結論のとおり審決する。